(57)【要約】【課題】  男性が立ったまま小便を行う場合に、内壁面で発生する尿飛沫を効果的に抑制させ、衛生状態を良好に保つ。【解決手段】  開示する小便器の一形態は、手前側より奥側が右に位置するように形成される左内壁面と、手前側より奥側が左に位置するように形成される右内壁面と、手前側より奥側が低くなるように形成される下内壁面と、を有し、前記左内壁面の最奥部と前記右内壁面の最奥部とが交わらないように配置される。【選択図】図１
2019146687.tif 000002
【特許請求の範囲】
【請求項１】
手前側より奥側が右に位置するように形成される左内壁面と、
手前側より奥側が左に位置するように形成される右内壁面と、
手前側より奥側が低くなるように形成される下内壁面と、を有し、
前記左内壁面の最奥部と前記右内壁面の最奥部とが交わらないように配置されることを特徴とする小便器。
【請求項２】
前記左内壁面の最奥部と前記右内壁面の最奥部とについて、何れか一方が手前側に配置され、他方が奥側に配置されることを特徴とする請求項１に記載の小便器。
【請求項３】
前記左内壁面と前記右内壁面とが、中央が窪むように湾曲していることを特徴とする請求項１又は２に記載の小便器。
【請求項４】
前記左内壁面の最奥部及び前記右内壁面の最奥部のうち手前側に配置される方の後ろ側に小便が流れていくように前記下内壁面が形成され、前記手前側に配置される方の後ろ側に小便を集めて排出する排水口が配置されることを特徴とする請求項１乃至３の何れか一に記載の小便器。
【請求項５】
前記排水口が、当該小便器の手前側から視認できない位置に配置されることを特徴とする請求項４に記載の小便器。
【請求項６】
前記排水口が、当該小便器の背面側において露出されることを特徴とする請求項４又は５に記載の小便器。
【発明の詳細な説明】
【技術分野】
【０００１】
男性用小便器の技術に関する。
【背景技術】
【０００２】
小便器とは、男性が立ったまま、小便をするための器具である。
【０００３】
男性が立ったまま小便を行う場合、体格の異なる男性が放出する小便の勢い・方向・量は異なるため、小便器の内壁面では尿飛沫が発生・散乱し、非常に不衛生である。
【０００４】
従来、上記のような事態は問題視され、尿飛沫の発生を防止する試みが盛んに行われている状況であり、例えば、特許文献１乃至１０でも尿飛沫の発生を防止する様々な提案がなされている。
【先行技術文献】
【特許文献】
【０００５】
【特許文献１】特開２０１７−０３１６４４号公報
【特許文献２】特開２０１７−００２６７８号公報
【特許文献３】特開２０１０−０４７９２９号公報
【特許文献４】実開昭６３−１４１２６５号公報
【特許文献５】特開昭６１−２４９４２１号公報
【特許文献６】実開昭５６−１３８９８６号公報
【特許文献７】実開昭５６−０４６６８８号公報
【特許文献８】実開昭５５−１０９４９７号公報
【特許文献９】特開昭５２−０３８７５９号公報
【特許文献１０】特開昭５１−０３６７４３号公報
【発明の概要】
【発明が解決しようとする課題】
【０００６】
しかしながら、上記従来技術において、小便器の内壁面で発生する尿飛沫への対策としては改善の余地がある。
【０００７】
そこで本発明では、上記問題点に鑑み、男性が立ったまま小便を行う場合に、内壁面で発生する尿飛沫を効果的に抑制させ、衛生状態を良好に保つ小便器を提供することを目的とする。
【課題を解決するための手段】
【０００８】
開示する小便器の一形態は、手前側より奥側が右に位置するように形成される左内壁面と、手前側より奥側が左に位置するように形成される右内壁面と、手前側より奥側が低くなるように形成される下内壁面と、を有し、前記左内壁面の最奥部と前記右内壁面の最奥部とが交わらないように配置されることを特徴とする。
【０００９】
また、開示する小便器の一形態は、上記構成に加え、前記左内壁面の最奥部と前記右内壁面の最奥部とについて、何れか一方が手前側に配置され、他方が奥側に配置されることを特徴とする。
また、開示する小便器の一形態は、上記構成に加え、前記左内壁面と前記右内壁面とが、中央が窪むように湾曲していることを特徴とする。
【００１０】
また、開示する小便器の一形態は、上記構成に加え、前記左内壁面の最奥部及び前記右内壁面の最奥部のうち手前側に配置される方の後ろ側に小便が流れていくように前記下内壁面が形成され、前記手前側に配置される方の後ろ側に小便を集めて排出する排水口が配置されることを特徴とする。
また、開示する小便器の一形態は、上記構成に加え、前記排水口が、当該小便器の手前側から視認できない位置に配置されることを特徴とする。
また、開示する小便器の一形態は、上記構成に加え、前記排水口が、当該小便器の背面側において露出されることを特徴とする。
【発明の効果】
【００１１】
開示する小便器は、男性が立ったまま小便を行う場合に、内壁面で発生する尿飛沫を効果的に抑制させ、衛生状態を良好に保つ。
【図面の簡単な説明】
【００１２】
【図１】本実施の形態に係る小便器の一形態の斜視図である。
【図２】本実施の形態に係る小便器の模式的横方向断面図である。
【図３】本実施の形態に係る小便器の模式的縦方向断面図（Ａ−Ａ’断面）である。
【図４】本実施の形態に係る小便器の模式的縦方向断面図（Ｂ−Ｂ’断面）である。
【図５】本実施の形態に係る小便器の他形態の模式的横方向断面図である。
【発明を実施するための形態】
【００１３】
図面を参照しながら、本発明を実施するための形態について説明する。
（本実施の形態に係る小便器の構造）
【００１４】
図１乃至５を用いて、本実施の形態に係る小便器１の構造について説明する。図１は、小便器１の一形態の斜視図であり、図２乃至４はそれぞれ、小便器１の模式的水平方向断面図、模式的垂直方向断面図である。なお、図３は、Ａ−Ａ’断面であり、図４は、Ｂ−Ｂ’断面である。また、図５は、他の形態に係る小便器１の模式的水平方向断面図である。
【００１５】
図１乃至５で示すように、小便器１は、左内壁面２、右内壁面６、下内壁面１０、排水口１２を有する。なお、小便器１は、男性が立ったまま小便を行う場合に、内壁面２、６、１０で発生する尿飛沫を効果的に抑制させることを意図したものである。
【００１６】
左内壁面２は、相対的に小便器１の左内側に配置される部位であって、小便器１の利用者の小便が直接当たる部位である。左内壁面２は、手前側１４より奥側１６が右に位置するように傾斜して形成される。そのため、小便器１の正面から左内壁面２へ向けて放たれる小便は、手前側１４には跳ねず、奥側１６に跳ねることとなる。なお、図１及び５で示すように、左内壁面２は、左内壁面２の方へ放たれる小便の手前側１４への跳ねを抑制させるために、中央が窪むように湾曲していても良い。
【００１７】
右内壁面６は、相対的に小便器１の右内側に配置される部位であって、小便器１の利用者の小便が直接当たる部位である。右内壁面６は、手前側１４より奥側１６が左に位置するように傾斜して形成される。そのため、小便器１の正面から右内壁面６へ向けて放たれる小便は、手前側１４には跳ねず、奥側１６に跳ねることとなる。なお、図１及び５で示すように、右内壁面６は、右内壁面６の方へ放たれる小便の手前側１４への跳ねを抑制させるために、中央が窪むように湾曲していても良い。
【００１８】
図２及び５で示すように、左内壁面２の最奥部４と右内壁面６の最奥部８とは、正面方向へ真っ直ぐ放たれる小便の手前側１４への跳ねを抑制させるために、交わらないように配置される。図２及び５で示すように、さらに具体的には、左内壁面の最奥部４、右内壁面の最奥部８は、何れか一方が手前側１４に配置され、何れか他方が奥側１６に配置される。
【００１９】
下内壁面１０は、相対的に小便器１の下方（底部）に配置される部位であって、小便器１の利用者の小便が直接当たる部位である。下内壁面１０は、手前側１４より奥側１６が低くなるように傾斜して形成される。そのため、小便器１の正面上方から下内壁面１０へ向けて放たれる小便は、手前側１４には跳ねず、奥側１６に跳ねることとなる。なお、図２及び５で示すように、下内壁面１０は、小便が、左内壁面の最奥部４及び右内壁面の最奥部８のうち手前側１４に配置される方（図２及び５では左内壁面の最奥部４）の背後に、左内壁面２と右内壁面６との隙間を通過して流れていくように形成される。
【００２０】
排水口１２は、小便器１に放たれた小便を集めて、小便器１の外へ排出するための部位であって、通常、図示しない排水管へ接続される。排水口１２は、下内壁面１０の最も低い底部に配置されると共に、左内壁面の最奥部４及び右内壁面の最奥部８のうち手前側１４に配置される方の背後で、小便器１の手前側１４から視認できない位置に配置される。排水口１２における尿飛沫の発生（小便の跳ね）を防止するためである。また、排水口１２は、清掃を容易に行うことができるようにするため、小便器１の背面側１８において露出される。なお、排水口１２は、常時露出されている必要はなく、衛生面に考慮し、通常は露出されていないが、清掃時のみ露出されるようにカバーのような機構を備えていても良い。
上記のような構成を採用することによって、小便器１は、男性が立ったまま小便を行う場合に、内壁面２、６、１０、排水口１２で発生する尿飛沫を効果的に抑制させる。
（本実施の形態に係る小便器の使用方法）
【００２１】
図１乃至５を用いて、小便器１の使用方法について説明する。小便器１の使用者は、一般的な小便器と同様に、小便器１の正面に立ち、左方向、右方向、下方向の何れの方に向けても良いので、小便をすることができる。利用者から放たれ、内壁２、６、１０に当たった小便は、入射方向と反射方向の関係に基づいて、手前側１４ではなく、奥側１６に跳ねるため、利用者へ尿飛沫が付着する事態を効果的に抑制させる。また、排水口１２は、小便器１の使用者から見えない位置に配置されているため、小便を直接当てることが物理的にできず、排水口１２における尿飛沫も発生しない。
【００２２】
また、小便器１の清掃者は、小便器１の背面側１８から、一般的な小便器と同様に清掃を行うことができる。小便器１の背面側１８にカバーが付いている場合、小便器１の清掃者は、そのカバーを開けて、小便器１の背面側１８から、一般的な小便器と同様に清掃を行うことができる。このように、小便器１は、内壁面２、６、１０、排水口１２で発生する尿飛沫を効果的に抑制させると共に、一般的な小便器と同様に、衛生状態を良好に保つことができる。
【００２３】
以上、本発明の実施の形態について詳述したが、本発明は係る特定の実施の形態に限定されるものではなく、特許請求の範囲に記載された本発明の要旨の範囲において、種々の変形・変更が可能である。
【符号の説明】
【００２４】
１    小便器
２    左内壁面
４    左内壁面の最奥部
６    右内壁面
８    右内壁面の最奥部
１０  下内壁面
１２  排水口
１４  小便器の手前側
１６  小便器の奥側
１８  小便器の背面側
２０  小便の流れ
【図１】
2019146687.tif 000003
【図２】
2019146687.tif 000004
【図３】
2019146687.tif 000005
【図４】
2019146687.tif 000006
【図５】
2019146687.tif 000007